(57)【特許請求の範囲】
【請求項１】
人体に導電接触すべき複数の電極と、
筋肉の活動電位を測定する活動電位測定手段と、
前記複数の電極と前記活動電位測定手段との接続を任意の２電極に切換える切換手段と、
を備え、
前記複数の電極を前記切換手段を介して活動電位測定手段に接続し、
また前記複数の電極を伸縮自在な被服の内側に装着し、その装着箇所が、任意の２電極のうちの一方を切換えるだけで異なる筋肉の活動電位を測定すべき位置であることを特徴とする活動電位測定被服。
【発明の詳細な説明】
【０００１】
【発明の属する技術分野】
本発明は、筋肉が発生する活動電位を測定する電極を内側に装着した被服に関する。
【０００２】
【発明が解決しようとする課題】
筋肉や神経は興奮すると活動電位を発生する。この筋肉や神経の電位変動を記録したものが筋電図である。
筋運動によって疲労が生じると、筋痛を伴って筋電図の活動電位が増大する。
また、筋が疲労状態にあるとき、その筋にストレッチングを施すと、筋疲労が回復して筋電図の活動電位が減少する。
このように、筋電図の活動電位の増減から筋の疲労状態が分かり、ケアすべき適切なタイミングを知ることができるので、より合理的な筋力トレーニングを行うことができる。
【０００３】
一方、筋に負荷をかけて筋張力を増加させると、筋電図の活動電位もそれに比例して直線的に増加する。
この活動電位は、トレーニングを積んで最大筋力を大きくすると、同じ負荷をかけても筋群の電気的活動効率が向上して筋電図の活動電位が減少すると共に、増加直線の勾配も小さくなる。
このように、負荷に対する活動電位の値から最大筋力が分かるので、最大筋力を指標として筋力トレーニングの効果を定量的に把握することができる。
【０００４】
人体を構成するさまざまな筋肉の活動電位を測定するには、人体の各部にいくつもの電極を貼り付けなければならない。
また、これらの電極は筋肉の活動電位を測定する正しい位置に正確に貼り付ける必要がある。
このため、従来の電極は取り付けが面倒で手間がかかる上に、正しい位置が正確に分からないので正しく取り付けるのが困難であった。
【０００５】
そこで本発明は、電極を被服内側の所定の箇所に装着することによって、被服を着るだけで人体を構成するさまざまな筋肉の活動電位を容易に測定できるようにすることを目的になされたものである。
【０００６】
【課題を解決するための手段】
かかる目的を達成するために、本発明は、以下のように構成した。
【０００７】
すなわち、人体に導電接触すべき複数の電極と、
筋肉の活動電位を測定する活動電位測定手段と、
前記複数の電極と前記活動電位測定手段との接続を任意の２電極に切換える切換手段と、
を備え、
前記複数の電極を前記切換手段を介して活動電位測定手段に接続し、
また前記複数の電極を伸縮自在な被服の内側に装着し、その装着箇所が、任意の２電極のうちの一方を切換えるだけで異なる筋肉の活動電位を測定すべき位置であることを特徴とする活動電位測定被服である。
【０００８】
【発明の実施の形態】
以下に図面を参照して本発明の実施の形態について説明する。
【０００９】
図１と図２に、本発明を実施した活動電位測定被服の正面図と背面図を示す。
活動電位測定被服１は、伸縮性の大きい繊維材料を縫製して上半身用のスーツ１１と下半身用のタイツ１２を形成し、内側に面状電極Ｅ１〜Ｅ１６を装着して身体にぴったりフィットさせ、面状電極Ｅ１〜Ｅ１６を身体の所定の部位に押圧する。
【００１０】
面状電極Ｅ１〜Ｅ１６は、正面において、大胸筋に対応するＥ１、Ｅ２、腹直筋に対応するＥ２、Ｅ３、上腕二頭筋に対応するＥ１、Ｅ４、前腕屈筋群に対応するＥ４、Ｅ５、大腿四頭筋に対応するＥ６、Ｅ７、前脛骨筋に対応するＥ７、Ｅ８をそれぞれ配置する。
また、背面において、広背筋に対応するＥ９、Ｅ１０、脊柱起立筋に対応するＥ９、Ｅ１１、上腕三頭筋に対応するＥ１０、Ｅ１２、前腕伸筋群に対応するＥ１２、Ｅ１３、大臀筋に対応するＥ１１、Ｅ１４、大腿二頭筋に対応するＥ１４、Ｅ１５、下腿三頭筋に対応するＥ１５、Ｅ１６をそれぞれ配置する。
【００１１】
面状電極Ｅ１〜Ｅ１６は、柔軟な絶縁性のシートの表面にアルミ箔を接着するか、あるいは導電性のゴムやシリコン（ゴムやシリコンに金属粉末を混入したもの）で形成してもよい。
【００１２】
活動電位測定被服１の外側には、面状電極Ｅ１〜Ｅ１６に導通する導電ホックａを取り付ける。
導電ホックａには、コードｂの一端を着脱自在に接続し、コードｂの他端を腰部に取り付けたコネクタＣを介して活動電位測定器２に接続する。
コードｂは、柔軟な細線コードを使用して活動電位測定被服１の外側面に密着させ、装着したときに身体の動きを邪魔しないようにする。
【００１３】
図３に、本発明を実施した活動電位測定器のブロック図を示す。
活動電位測定器２は、面状電極Ｅ１〜Ｅ１６に生じたインパルスの電位差を切換スイッチ２１Ａ、２１Ｂ、トランスＴ、帯域フィルタ２２、整流回路２３、増幅器２４を介して直流電圧に変換し、波形整形、レベル調整、オフセット調整した後、Ａ／Ｄ変換器２５、Ｉ／Ｏインタフェース６を介してＣＰＵ４に入力し、測定結果をメモリ５に記録して表示部７に表示する。
【００１４】
ＣＰＵ４は、操作部３で指定した測定部位をメモリ５から読み出し、制御信号を出力してＩ／Ｏインタフェース６、切換ユニット２６Ａ、２６Ｂを介して切換スイッチ２１Ａ、２１Ｂを切換え、指定した測定部位に対応する面状電極Ｅ１〜Ｅ１６の内のいずれか２電極をトランスＴの入力側に接続する。
【００１５】
本発明を実施した活動電位測定被服は以上のような構成で、各導電ホックａにコードｂを接続して被服を着て、活動電位測定器２の操作部３を操作して測定する筋肉の部位を指定する。
この状態で筋運動を行うと、指定した筋肉の活動電位が測定され、活動電位の電位変動がメモリ５に記録され、表示部７に表示される。
【００１６】
【発明の効果】
以上説明したように、本発明の活動電位測定被服は、複数の電極を切換手段を介して活動電位測定手段に接続し、しかしてこれらの電極を伸縮自在な被服内側の所定の箇所に装着する。
従って、本発明によれば、被服を着るだけで筋肉の活動電位が測定できるので、いくつもの電極をさまざまな箇所に貼り付ける手間が省け、短時間で活動電位の測定準備が完了する。
また、電極が被服内側の所定の箇所に装着されているので、電極を筋肉の活動電位を測定する正しい位置に容易に位置決めすることができる。
さらに、電極の装着箇所が、任意の２電極のうちの一方を切換えるだけで異なる筋肉の活動電位を測定すべき位置であるので、少ない電極で多くの筋肉の活動電位を測定することができる。
【図面の簡単な説明】
【図１】本発明を実施した活動電位測定被服の正面図である。
【図２】図１の背面図である。
【図３】本発明を実施した活動電位測定器のブロック図である。
【符号の説明】
１            活動電位測定被服
２            活動電位測定器
２１          切換スイッチ
２２          帯域フィルタ
２３          整流回路
２４          増幅器
２５          Ａ／Ｄ変換器
２６          切換ユニット
３            操作部
４            ＣＰＵ
５            メモリ
６            Ｉ／Ｏインタフェース
７            表示部
ａ            導電ホック
ｂ            コード
Ｃ            コネクタ
Ｅ１〜Ｅ１６  面状電極
Ｔ            トランス
【図１】
0004021993.tif 000002
【図２】
0004021993.tif 000003
【図３】
0004021993.tif 000004